(57)【要約】【課題】簡単な構成により発射ハンドルの取付強度を高めることができ、また、カバー部材を異なる色彩にして装飾性を高めることができる遊技機を提供する。【解決手段】発射ハンドル４５を取り付ける下皿ユニットは、ベース部材４１とカバー部材とを備え、発射ハンドルは、後方取付部材８０と、前方把持部材８１と、回動可能に保持される回動操作部材８２とを備え、ベース部材は、後方取付部材の取付基部が嵌合され、裏面側から止着部材で取付基部を止着する取付凹部５５と、この取付凹部の前端から前方に向けて筒状に延出し、後方取付部材を支持する延出支持部５６とを備え、カバー部材は、第１カバー部材６１と第２カバー部材６２とを組み付けることにより延出支持部を挿通する挿通孔６５を形成するように構成し、第１カバー部材と第２カバー部材とで延出支持部を支持するようにすると共に、挿通孔の前端部よりも延出支持部を前方に延出させた。【選択図】図７
2008012170.tif 000002
【特許請求の範囲】
【請求項１】
前面枠に取り付けられる遊技盤と、該遊技盤の遊技領域へ遊技球を発射する発射装置と、該発射装置の発射勢を調整する発射ハンドルが設けられて前記前面枠の前面下部に配設される前面下部ユニットと、を備えた遊技機において、
前記前面下部ユニットは、前面枠に取り付けられるベース部材と、該ベース部材の前面側に設けられるカバー部材と、を備え、
前記発射ハンドルは、前記前面下部ユニットに取り付けられる後方取付部材と、該後方取付部材の前面側に配設される前方把持部材と、該前方把持部材と前記後方取付部材との間に回動可能に保持される回動操作部材と、を備え、
前記ベース部材は、前記後方取付部材の取付基部が嵌合され、裏面側から止着部材で取付基部を止着する取付凹部と、この取付凹部の前端から前方に向けて筒状に延出し、前記後方取付部材を支持する延出支持部と、を備え、
前記カバー部材は、第１カバー部材と、第２カバー部材とを備え、前記第１カバー部材と前記第２カバー部材とを組み付けることにより前記延出支持部を挿通する挿通孔を形成するように構成し、
前記第１カバー部材と前記第２カバー部材とで前記延出支持部を支持するようにすると共に、前記挿通孔の前端部よりも前記延出支持部を前方に延出させたことを特徴とする遊技機。
【請求項２】
前記第１カバー部材に、前記挿通孔から前方へ延出して前記延出支持部を支持する第１カバー部材延出部を設け、前記第２カバー部材に、前記挿通孔から前方へ延出して前記延出支持部を支持する第２カバー部材延出部を設け、
前記後方取付部材には、前記第１カバー部材延出部と前記第２カバー部材延出部との前方から放射状に延びて後方へ屈曲し、前記第１カバー部材延出部と前記第２カバー部材延出部とを被覆するカバー部材被覆部を形成したことを特徴とする請求項１に記載の遊技機。
【請求項３】
前記ベース部材、第１カバー部材、及び第２カバー部材をプラスチックで成型すると共に前記挿通孔の開口縁から前後方向に延在する縁壁を形成し、
ベース部材から前方に向けて延出する延出支持部の外側に前記縁壁を重合させたことを特徴とする請求項１または２に記載の遊技機。
【発明の詳細な説明】
【技術分野】
【０００１】
本発明は、前面枠の前面下部に、発射装置の発射勢を調整する発射ハンドルが配設される前面下部ユニットを備えたパチンコ遊技機などの遊技機に関する。
【背景技術】
【０００２】
従来の遊技機、例えば、代表的な遊技機であるパチンコ機の前面枠には、ベース基板と、該ベース基板の前面側に装着される補強基板とを設け、この補強基板に丸く開設したハンドル基部挿通孔からベース基板に形成したハンドル基部取り付け凹部へ操作ハンドル取付基部を当接し、この部分を裏面側からビスなどで固定していた。そして、操作ハンドルは、乱暴な遊技者が遊技機を振動させるために大きな力が加えられることが多く、ベース盤のハンドル基部取付凹部と補強基板のハンドル基部挿通孔とで操作ハンドルを強く支える構造を採っていた。なお、前記補強基板はパチンコ機の前面側を装飾する装飾パネルの機能も兼ねていた。
【特許文献１】特開平５−０３１２２６号公報
【発明の開示】
【発明が解決しようとする課題】
【０００３】
しかしながら、前記した構造を採ってもまだ強度が足りないという問題がある。
また、近年では、遊技者が見てどこのメーカーの遊技機かわかるように、各メーカごとに特色を強く押し出したデザイン性の高い遊技機になってきている。この傾向を反映して、補強基板のハンドル基部挿通孔を境にして補強基板を異なる色を組み合わせて構成し、これにより装飾性を高めたいという要望がある。
ところが、補強基板をハンドル基部挿通孔を境に色の違う２つの部材で構成したのでは、ハンドル強度が保てないという問題が生じる。
また、補強基板をハンドル基部挿通孔を境に塗装することも考えられるが、コストが高くなる上、傷つけられて塗装が剥がれてしまう虞がある。
【０００４】
そこで、本発明は、上記の事情に鑑みてなされたものであり、その目的は、簡単な構成により発射ハンドルの取付強度を高めることができ、また、カバー部材を異なる色彩にして装飾性を高めることができる遊技機を提供しようとするものである。
【課題を解決するための手段】
【０００５】
本発明は、上記した事情に鑑みて提案されたものであり、請求項１に記載のものは、前面枠に取り付けられる遊技盤と、該遊技盤の遊技領域へ遊技球を発射する発射装置と、該発射装置の発射勢を調整する発射ハンドルが設けられて前記前面枠の前面下部に配設される前面下部ユニットと、を備えた遊技機において、
前記前面下部ユニットは、前面枠に取り付けられるベース部材と、該ベース部材の前面側に設けられるカバー部材と、を備え、
前記発射ハンドルは、前記前面下部ユニットに取り付けられる後方取付部材と、該後方取付部材の前面側に配設される前方把持部材と、該前方把持部材と前記後方取付部材との間に回動可能に保持される回動操作部材と、を備え、
前記ベース部材は、前記後方取付部材の取付基部が嵌合され、裏面側から止着部材で取付基部を止着する取付凹部と、この取付凹部の前端から前方に向けて筒状に延出し、前記後方取付部材を支持する延出支持部と、を備え、
前記カバー部材は、第１カバー部材と、第２カバー部材とを備え、前記第１カバー部材と前記第２カバー部材とを組み付けることにより前記延出支持部を挿通する挿通孔を形成するように構成し、
前記第１カバー部材と前記第２カバー部材とで前記延出支持部を支持するようにすると共に、前記挿通孔の前端部よりも前記延出支持部を前方に延出させたことを特徴とする。
【０００６】
請求項２に記載のものは、前記第１カバー部材に、前記挿通孔から前方へ延出して前記延出支持部を支持する第１カバー部材延出部を設け、前記第２カバー部材に、前記挿通孔から前方へ延出して前記延出支持部を支持する第２カバー部材延出部を設け、
前記後方取付部材には、前記第１カバー部材延出部と前記第２カバー部材延出部との前方から放射状に延びて後方へ屈曲し、前記第１カバー部材延出部と前記第２カバー部材延出部とを被覆するカバー部材被覆部を形成したことを特徴とする請求項１に記載の遊技機である。
【０００７】
請求項３に記載のものは、前記ベース部材、第１カバー部材、及び第２カバー部材をプラスチックで成型すると共に前記挿通孔の開口縁から前後方向に延在する縁壁を形成し、
ベース部材から前方に向けて延出する延出支持部の外側に前記縁壁を重合させたことを特徴とする請求項１または２に記載の遊技機である。
【発明の効果】
【０００８】
請求項１の発明によれば、ベース部材は、後方取付部材の取付基部を嵌合して裏面側から止着部材で止着する取付凹部と、この取付凹部の前端から前方に向けて筒状に延出して後方取付部材を支持する延出支持部と、を備え、カバー部材は、第１カバー部材と第２カバー部材とを組み付けることにより延出支持部を挿通する挿通孔を形成するように構成し、第１カバー部材と第２カバー部材とで延出支持部を支持するようにすると共に、挿通孔の前端部よりも延出支持部を前方に延出させたので、発射ハンドルに掛かった負荷をカバー部材の挿通孔とベース部材から延出した延出支持部との両方で支えることができ、発射ハンドルの取付強度を高めることができる。また、発射ハンドルが挿通される挿通孔を境にして第１カバー部材と第２カバー部材とが組み合わされるので、第１カバー部材と第２カバー部材の色彩を異ならせることもでき、これにより装飾性を簡単に高めることができる。
【０００９】
請求項２に記載の発明によれば、第１カバー部材と第２カバー部材に、挿通孔から前方へ延出して延出支持部を支持する第１カバー部材延出部と第２カバー部材延出部を設け、後方取付部材には、第１カバー部材延出部と第２カバー部材延出部との前方から放射状に延びて後方へ屈曲し、第１カバー部材延出部と第２カバー部材延出部とを被覆するカバー部材被覆部を形成したので、発射ハンドルの強度をカバー部材被覆部によって一層高めることができ、また、カバー部材被覆部によってピアノ線などの不正部材の挿入を阻止することができ、不正行為を確実に防止することができる。
【００１０】
請求項３に記載の発明によれば、挿通孔の開口縁から前後方向に延在する縁壁を形成し、ベース部材から前方に向けて延出する延出支持部の外側に前記縁壁を重合させたので、ベース部材、第１カバー部材、及び第２カバー部材をプラスチックで成型して、延出支持部や縁壁のそれぞれの厚みを強度アップのために他の部位よりも増大できなくても、延出支持部の外側に重合した前記縁壁によっても発射ハンドルの負荷を広く分散させて受けることができる。したがって、ベース部材やカバー部材をプラスチック製としても、発射ハンドルの取付強度を過不足なく確保することができる。
【発明を実施するための最良の形態】
【００１１】
以下、代表的な遊技機であるパチンコ遊技機を例に挙げて本発明の実施の形態を図面に基づき説明する。図１はパチンコ遊技機１の正面図、図２はガラス枠と上皿ユニットとを省略して前面下部ユニット（下皿ユニット）を取り外した状態におけるパチンコ遊技機の斜視図である。
【００１２】
パチンコ遊技機１は、図１に示すように、機枠（本体枠）２に大きな開口部を有する額縁状の前面枠３の一側（図中左側）を開閉可能に取り付け、この前面枠３のベースとなる前面枠本体４の遊技盤収納部４´内に遊技盤５を交換可能な状態で取り付け、遊技盤５の表面には、表示装置６、大入賞口７、一般入賞口８、アウト口９…などを配設した遊技領域１０を区画部材により略円形に囲繞して形成してある。また、前面枠３の前面には、一側（図中左側）が軸着された透明部材保持枠（ガラス枠）１１を回動可能に設け、該透明部材保持枠１１に透視可能な透明部材（ガラス板）を収納して、遊技領域１０を前方から透視可能な状態で覆い、透明部材保持枠１１の下方に前面上部ユニットとしての上皿ユニット１３と、前面下部ユニットとしての下皿ユニット１４とを上下に並べて備えている。そして、このパチンコ遊技機１は、上皿ユニット１３および下皿ユニット１４の間に、遊技状態に応じて音を発生するスピーカーユニット１５を収納している。さらに、パチンコ遊技機１は、下皿ユニット１４の後方であって前面枠本体４の下部に、遊技球を遊技領域１０に向かって発射するための発射装置１６を備えている（図２参照）。
【００１３】
発射装置１６は、上皿ユニット１３に貯留された遊技球を１個ずつ遊技盤５の遊技領域１０に向けて発射可能な装置であり、図２に示すように、前面枠本体４の下部前面に止着されるプレート状の取付基板２１を備え、この取付基板２１に発射杵２２を回動軸２３により軸着し、発射杵２２の下端部分を回動軸２３から下方に延在して遊技球を弾発するための杵先を備えている。また、発射装置１６は、杵先の回動軸２３周りに前進した位置の先方であって、回動軸２３より下方に発射レール２７の遊技球発射位置２８を設定し、遊技球発射位置２８から遊技盤５上の案内誘導路に向かって上り傾斜する状態で発射レール２７を配設している。
【００１４】
また、発射装置１６は、取付基板２１上の発射杵２２と発射レール２７との間に球送り装置３１を備えている。この球送り装置３１は、発射杵２２の発射動作に連動して上皿ユニット１３から遊技球を１個ずつ発射レール２７上の遊技球発射位置２８へ供給するための装置であり、上皿ユニット１３に対向する前面側に、遊技球が丁度１個ずつ流入（通過）可能な程度の大きさで球流入口３３を開設し、発射レール２７に対向する下側傾斜面には、遊技球を１個ずつ排出可能な球排出口を、球流入口３３に連通する状態で開設している。また、この球送り装置３１は、球流入口３３と球排出口との間の空間に遊技球を１個ずつ球排出口３４へ送り出す球送り部材を備えている。この球送り部材は、前側および下側に開放した状態で遊技球を丁度１個保持可能な空間を有して左右方向へ揺動可能な状態で軸着された部材である。このような球送り部材３５を備えた球送り装置３１は、発射杵２２から延設されたアーム（図示せず）に連動して球送り部材を揺動させて、発射杵２２が遊技球発射位置２８から後退したタイミングで球流入口３３から受け入れた遊技球を球排出口から送り出せるように構成されている。
【００１５】
上皿ユニット１３は、図１に示すように、前面枠３に対して開閉可能に軸着された開閉パネル３８と、該開閉パネル３８の前面側に設けられる上皿３９と、該上皿３９の前方および下方を覆う上皿カバー部材４０と、開閉パネル３８が開かれると上皿３９から球送り装置への球の流れを止める球止めユニット（図示せず）などから概略構成されている。
【００１６】
一方、下皿ユニット１４は、図３〜図７に示すように、前面枠本体４の下部に取り付けられるベース部材４１と、該ベース部材４１の前面に設けられる下皿４２と、該下皿４２の前面、側面および下面を覆う下皿カバー部材（本発明のカバー部材に相当）とから概略構成されている。そして、この下皿ユニット１４は、右側（上皿ユニット１３の開放側、前面枠３の開放側に位置する部分）に、上縁を他の部分よりも高く設定した右下拡大部を設け、この右下拡大部の前面側下部に、発射装置１６の発射勢を調整するために遊技者が操作する発射ハンドル４５を取り付け、また、下皿４２の左側（上皿ユニット１３の軸着側）の左下部に灰皿４６を取り付けている。
【００１７】
ベース部材４１は、下皿ユニット１４のベースとなる合成樹脂製の横長な板状部材であり、左右方向のほぼ中央に、遊技球が下皿４２に流入するための下皿球出口４７を開設し、該下皿球出口４７の左側に灰皿取付部４８を形成するとともに灰皿取付部４８の両側にカバー部材の止着爪部を係合する止着爪受部４９を形成し、前記下皿球出口４７の両側に下皿４２の位置決めボス５０とカバー部材の止着ボス５１を突設し、下皿球出口４７には、上皿３９が満杯になったときに遊技球が流下するオーバーフロー流路を連通させる。
【００１８】
また、このベース部材４１は、上縁を開閉パネル３８の下縁に合わせた形状に形成すると共に断面コ字状に屈曲した不正防止壁５２を形成し、上皿ユニット１３の開放端側（図２中右端）が位置する部分には、右下拡大部のベースとなる延出ベース５３を形成し、この延出ベース５３の裏面に金属板製の係止片５４を、上皿ユニット１３の開放側端部、すなわち係止爪（図示せず）に対応した部分と対向する箇所に横方向に突設した状態で設け、上皿ユニット１３が閉じた状態で係止爪が係止片５４に係止できるように構成されている。
【００１９】
そして、このベース部材４１の延出ベース５３には、発射ハンドル４５の後方取付部材を取り付けるための取付凹部５５を断面円形の窪みとして形成し、該取付凹部５５の開口前端から前方に向けて延出支持部５６を短い筒状に延出し、該延出支持部５６により前記後方取付部材を支持する構成とする。また、筒状延出支持部５６の基端の一部に隆出部５７を円弧状に形成し、該隆出部５７の内部と延出支持部５６の底面との間に、図７に示すように、配線通過空間５８を開設し、該配線通過空間５８内に、後述する発射ハンドル４５の配線を挿通する。
【００２０】
下皿４２は、上皿３９が満杯になってオーバーフローした遊技球や、後述する球抜き流路を通って上皿３９から流下してきた遊技球を貯留可能な部材であり、上方が開放（開口）した比較的浅い箱状体として構成され、底部に開閉可能な取出口５９を備えており、取出レバー６０を操作することによって取出口５９を開口させて、下皿４２から遊技球を下方に落下できるように構成されている。
【００２１】
下皿カバー部材は、ベース部材４１の前面から遊技者側へ突出（膨出）した形状を呈しており、本実施形態では、主として下皿４２をカバーする第１カバー部材６１と、発射ハンドル４５を取り付けた右下拡大部の右半部分をカバーする第２カバー部材６２と、灰皿４６を取り付けた左下部の左半部分をカバーする第３カバー部材６３との３つに分割され、第１，第２，第３カバー部材６１，６２，６３を適宜な色彩、例えば、左右の第２，第３カバー部材６２，６３を同じ色彩にして、中央の第１カバー部材６１とは異ならせたり、あるいはそれぞれ異なる色彩にしたり、自由に選択した色彩のプラスチックで成型できるように構成されている。
【００２２】
第１カバー部材６１は、下皿４２の上端が丁度入り込む切込み部６４を形成した上面部６１ａと、下皿４２の左側から前方と右側面から右下拡大部の一部、具体的には発射ハンドル４５の取付凹部５５の左半をカバー可能な前面部６１ｂと、下皿４２の下面を主としてカバーする下面部６１ｃとから概略構成されたプラスチック成型品であり、前面部６１ｂの右端には、発射ハンドル４５の付根部分（本発明の取付基部に相当）とベース部材４１から突出した前記延出支持部５６を挿通する挿通孔６５の片半（左半）となる半円切欠部６６を形成し、該半円切欠部６６の半円形の縁から後方に向けて縁壁６７を形成してある。また、前面部６１ｂの左端には、灰皿４６の付根部分を挿通する挿通孔の片半（右半）となる半円切欠部６８を形成してある（図６）。
【００２３】
第２カバー部材６２は、ベース部材４１の右下拡大部の右側片半を被覆可能なパネル状のプラスチック成型品であり、前面部６２ａの周囲の縁から後方に向けて縁壁６２ｂを形成し、左端には、発射ハンドル４５の付根部分とベース部材４１から突出した前記延出支持部５６を挿通する挿通孔６５の片半となる半円切欠部６９を形成し、該半円切欠部６９の半円形の縁から後方に向けて縁壁７０を形成し、半円切欠部６９を形成していない左端の縁壁には断面Ｌ字状の係合部７１を、先端を前方に向けて形成してある。
【００２４】
第３カバー部材６３は、ベース部材４１の左下部の左側片半を被覆可能なパネル状のプラスチック成型品であり、前面部６３ａの周囲の縁から後方に向けて縁壁６３ｂを形成し、右端には、灰皿４６の付根部分を挿通する挿通孔の片半（左半）となる半円切欠部７２を形成し、該半円切欠部７２の半円形の縁から後方に向けて縁壁７３を形成すると共に、係止爪７４を後方に向けて突設してある。
【００２５】
次に、第１，第２，第３カバー部材６１，６２，６３のベース部材４１への取り付けについて説明する。
先ず、第２カバー部材６２と第３カバー部材６３を取り付ける。第２カバー部材６２を取り付けるには、ベース部材４１の右端の所定位置に当接してベース部材４１の前面に形成した円形取付座７５を第２カバー部材６２の裏面に近接乃至当接して位置決めし、第２カバー部材６２の半円切欠部６９の縁壁７０の内側にベース部材４１の延出支持部５６を位置させ、この状態でベース部材４１の裏側から止着ビスを円形取付座７５の止着孔７６内に挿入して締め付け、これにより第２カバー部材６２をベース部材４１の前面に固定する。
【００２６】
一方、第３カバー部材６３を取り付けるには、ベース部材４１の左端の所定位置に当接して係止爪７４をベース部材４１の灰皿取付部４８の左側に開口した止着爪受部４９内に挿入して係合して固定すると共に、ベース部材４１の前面に設けた円形取付座７６内にベース部材４１の裏側から止着ねじを挿入して締め付けて固定する。
【００２７】
第１カバー部材６１をベース部材４１に取り付けるには、ベース部材４１の前面に下皿４２を配置して、下皿４２の背面から後方に突設されている球導入樋７７をベース部材４１の下皿４２球出口４７内に前方から挿入して、ベース部材４１の前面に突設された位置決めボス５０を下皿４２の背面の位置決め孔内に嵌合して位置決めをする。この状態で第１カバー部材６１の上面の切込み部６４内に下皿４２の上端縁が丁度嵌合するように位置調整しながら第１カバー部材６１を後退させて、ベース部材４１の前面に突設されている止着ボス５１の先端を第１カバー部材６１の裏面の所定位置に当接し、ベース部材４１の裏面から止着ボス５１内に止着ねじを差し入れ、この止着ねじを締め付けて、間に下皿４２を挟持する状態で第１カバー部材６１をベース部材４１の前面に取り付ける。この様にして第１カバー部材６１をベース部材４１の前面に取り付けると、第１カバー部材６１の右端の半円切欠部６６と第２カバー部材６２の半円切欠部６９とが合わさって円形の挿通孔６５を形成するとともに、第２カバー部材６２の左端の係合部７１に第１カバー部材６１の右端の縁壁が前方から係合し、また、第１カバー部材６１の半円切欠部６６の半円形の縁から後方に向けて形成した縁壁６７がベース部材４１の延出支持部５６の外側に位置する。これにより、図７に示すように、第１カバー部材６１、第２カバー部材６２の各半円切欠部６６，６９が組み合わさって円形の挿通孔６５が形成され、ベース部材４１の延出支持部５６がこの挿通孔６５内を貫通して前面開口縁から前方に突出する。
【００２８】
発射ハンドル４５は、図３から図６に示すように、下皿ユニット１４の右下拡大部の取付凹部５５に取り付けられる後方取付部材８０と、該後方取付部材８０の前面側に配設される前方把持部材８１と、該前方把持部材８１と前記後方取付部材８０との間に回動可能に保持される円盤状の回動操作部材８２とから概略構成されている。後方取付部材８０は、円筒部分の先端部分を拡径した略きのこ形の円筒状の部材であり、内部には、回動操作部材８２の軸８３を支持する軸受部８４や、該回動操作部材８２から外側に突出した複数の指掛部８２´に指を掛けて回動するとスイッチングするスイッチや単発スイッチなどが設けられている。また、発射ハンドル４５の先端（遊技者側端部）に取り付けられる前方把持部材８１は、回動操作部材８２と共に導電性を有し、遊技者が手で把持するなどして接触すると、静電容量の変化を感知することで遊技者が触れていることを検出するタッチセンサー部（タッチ検出手段）としても機能する。
【００２９】
斯かる構成からなる発射ハンドル４５を前面下部ユニットである下皿ユニット１４に取り付けるには、挿通孔６５から前方に筒状に突出している延出支持部５６内に後方取付部材８０の先端（本発明の取付基部）を挿入し、図７（ａ）に示すように、十分に押込んで先端、すなわち後方取付部材８０の取付基部を取付凹部５５の底部に当接し、ベース部材４１の裏側から止着ねじ等の止着部材を底部に開設されたねじ孔８５内に挿入し、この止着ねじを締め込むことにより発射ハンドル４５の後方取付部材８０の取付基部を止着する。
【００３０】
この様にして発射ハンドル４５を前面下部ユニットに取り付けると、図７（ａ）に示すように、ベース部材４１から前方に向けて延出した筒状の延出支持部５６が発射ハンドル４５の後方取付部材８０の取付基部を内包して従来よりも長い範囲で支持することになり、大きな荷重に耐え得ることになり、また、カバー部材の挿通孔から後方に向けて形成した縁壁が前記延出支持部５６を外側から支えた状態となる。したがって、発射ハンドル４５に大きな負荷が掛かったとしても、この負荷はベース部材４１側の延出支持部５６によって支えられることになり、さらに本実施形態では延出支持部５６に作用した負荷がその外側の縁壁にも分散されて伝達される。このため、発射ハンドル４５に大きな負荷が作用した場合に、ベース部材４１やカバー部材がプラスチック製であっても損傷する虞がない。そして、本実施形態では、第１カバー部材６１と第２カバー部材６２とを異なる色彩のプラスチックを使用して成型でき、発射ハンドル４５を取り付ける挿通孔を第１カバー部材６１と第２カバー部材６２との組合せで形成することとしたので、図７（ｂ）に示すように、発射ハンドル４５の付け根の中心を境にして斜め左右で異なる色彩となり、また、灰皿４６の付け根の中心を境にして斜め左右で異なる色彩となり、これによりパチンコ遊技機下部における色模様がカラフルとなって装飾効果を高めることができる。
【００３１】
また、発射ハンドル４５を前面下部ユニットに取り付けると、ベース部材４１の挿通孔６５の底部に開設された開口８６内を軸８３が貫通し、軸８３の先端に設けたフォーク状のジョイント部８７が発射装置１６の取付基板２１に突設された星型のジョイント部８８に接続する。したがって、発射ハンドル４５の回動操作部材８２を回動すると、この回動量に応じて軸８３が回動して前記星型ジョイント部８８を回動することができ、星型ジョイント部８８に連係した発射付勢ばねの付勢力が変化し、これにより発射装置１６の発射杵２２の発射勢を調整することができる。
【００３２】
なお、図面に示す発射装置１６は、付勢ばねの付勢力により発射杵２２を回動し、これにより遊技球を発射する構成を採っているので、発射ハンドル４５の回動操作部材８２の回動操作量に応じて発射付勢ばねの付勢力を調整して発射勢を調整するようにしたが、本発明はこれに限定されるものではない。例えば、発射杵２２をロータリーソレノイドの回動力により駆動する発射装置の場合には、発射ハンドル４５の回動操作部材８２の回動量に応じて抵抗値が変化するボリュームを設け、このボリュームの抵抗値の変化により発射勢を調整するように構成してもよい。
【００３３】
次に、図８に示す第２の実施例について説明する。
この実施形態は、前記第１カバー部材６１の右端に形成した半円切欠部６６の縁から後方に向けて縁壁６７を形成するとともに、前方に向けても縁壁６７´を第１カバー部材延出部として形成し、該第１カバー部材延出部の前方突出長さをベース部材４１から延出した延出支持部５６に先端を揃え、同様に、前記第２カバー部材６２にも半円切欠部６９の縁から後方に向けて縁壁７０を形成するとともに前方に向けても縁壁７０´を第２カバー部材延出部として形成し、該第２カバー部材延出部の前方突出長さをベース部材４１から延出した延出支持部５６に先端を揃える。そして、発射ハンドル４５の後方取付部材８０には、前記第１カバー部材延出部と前記第２カバー部材延出部との前方から放射状に延びて（後方取付部材８０の半径方向に広がって）から後方へ屈曲して延び、前記第１カバー部材延出部と前記第２カバー部材延出部とを被覆するカバー部材被覆部８９を形成する。
【００３４】
この様に、前記挿通孔６５から前方へ延出して前記延出支持部５６を支持する第１カバー部材延出部（縁壁６７´）と第２カバー部材延出部（縁壁７０´）とを設け、後方取付部材８０に設けたカバー部材被覆部８９により前記第１カバー部材延出部（縁壁６７´）と第２カバー部材延出部（縁壁７０´）とを被覆すると、第１カバー部材延出部（縁壁６７´）と第２カバー部材延出部（縁壁７０´）とカバー部材被覆部８９とで後方取付部材８０を重合した状態で支えることができるので、発射ハンドル４５を一層強固に支持することができる。また、カバー部材被覆部８９により第１カバー部材延出部（縁壁６７´）と第２カバー部材延出部（縁壁７０´）とを前方から被覆するので、前記重合部分や挿通孔からピアノ線などの不正材の浸入を有効に阻止することができ、不正行為を確実に防止することができる。
【００３５】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３６】
【図１】パチンコ遊技機の正面図である。
【図２】ガラス枠と上皿ユニットとを省略して前面下部ユニット（下皿ユニット）を取り外した状態におけるパチンコ遊技機の斜視図である。
【図３】下皿ユニットの斜視図である。
【図４】第２カバー部材を取り付ける前の下皿ユニットの斜視図である。
【図５】下皿ユニットの表側から見た分解斜視図である。
【図６】下皿ユニットの裏側から見た分解斜視図である。
【図７】（ａ）は取り付けた状態における発射ハンドルの断面図、（ｂ）は発射ハンドルを取り付けた状態における下皿ユニットの正面図である。
【図８】第２実施形態を示す発射ハンドル及びその周囲の部分の断面図である。
【符号の説明】
【００３７】
１  パチンコ遊技機
３  前面枠
５  遊技盤
１０  遊技領域
１４  前面下部ユニットとしての下皿ユニット
１６  発射装置
２２  発射杵
４２  下皿
４５  発射ハンドル
５５  取付凹部
５６  延出支持部
６１  第１カバー部材
６２  第２カバー部材
６３  第３カバー部材
６５  挿通孔
６６  挿通孔となる第１カバー部材の半円切欠部
６７  第１カバー部材の縁壁
６９  挿通孔となる第２カバー部材の半円切欠部
７０  第２壁ー部材の縁壁
８０  後方取付部材
８１  前方把持部材
８２  回動操作部材
８３  回動操作部材の軸
８９  カバー部材被覆部材
【図１】
2008012170.tif 000003
【図２】
2008012170.tif 000004
【図３】
2008012170.tif 000005
【図４】
2008012170.tif 000006
【図５】
2008012170.tif 000007
【図６】
2008012170.tif 000008
【図７】
2008012170.tif 000009
【図８】
2008012170.tif 000010